(57)【要約】  油清浄のための環境に優しい清浄組成物であって、（ａ）二塩基性エステルのブレンドと、（ｂ）１種以上の界面活性剤と、（ｃ）場合により（ｄ）水または溶媒とを含む清浄組成物。二塩基性エステルは、アジピン二酸、グルタル二酸およびコハク二酸のブレンドから誘導され、１つの特定の実施形態において、該ブレンドは、アジピン酸ジアルキル、メチルグルタル酸ジアルキルおよびエチルコハク酸ジアルキルを含み、ここで、アルキル基は、個々に、Ｃ１〜Ｃ１２炭化水素基を含む。１種以上の界面活性剤は、アルコールアルコキシレート、アルキルフェノールエトキシレート、テルペン、テルペンアルコキシレートまたはこれらのあらゆる誘導体から典型的には選ばれる。該組成物には、場合により、離層剤、例えば、ピネンおよびｄ−リモネン、芳香剤、漂白剤、安定剤、増粘剤などを含めた付加成分または添加剤が添加されていてよい。【選択図】なし【特許請求の範囲】
【請求項１】
油流出を清浄するためのマイクロエマルジョン清浄組成物であって：
（ａ）マイクロエマルジョンの約１重量％〜約６０重量％の、二塩基性エステルのブレンドにおいて：
（ｉ）以下の式の第１二塩基性エステル：
【化１】
2013533335.tif 000017
、
（ｉｉ）以下の式の第２二塩基性エステル：
【化２】
2013533335.tif 000018
、および、場合により
（ｉｉｉ）以下の式の第３二塩基性エステル：
【化３】
2013533335.tif 000019
（ＩＩＩ）
式中、Ｒ１およびＲ２は、それぞれ、独立して、Ｃ１〜Ｃ９炭化水素基である；を含むブレンドと、
（ｂ）清浄組成物の約１重量％〜約６５重量％のテルペンアルコキシレートと；
（ｃ）清浄組成物の約０．１重量％〜約２０重量％のアルコールアルコキシレートと；
（ｄ）水と
を含む、マイクロエマルジョン清浄組成物。
【請求項２】
対象からの粗油の除去のためのマイクロエマルジョン清浄組成物であって：
（ａ）（ｉ）メチルグルタル酸ジアルキル、（ｉｉ）エチルコハク酸ジアルキル、および、場合により（ｉｉｉ）アジピン酸ジアルキルを含む二塩基性エステルのブレンドと；
（ｂ）アニオン性界面活性剤、カチオン性界面活性剤、両性界面活性剤、双性イオン界面活性剤、非イオン性界面活性剤およびこれらの任意の組み合わせからなる群から選択される少なくとも１種の界面活性剤と
を含む、マイクロエマルジョン清浄組成物。
【請求項３】
マイクロエマルジョンが、混合物の全重量の最大で約９９％の水による希釈に際して安定なマイクロエマルジョンのままである、請求項２に記載のマイクロエマルジョン。
【請求項４】
二塩基性エステルのブレンドが、アジピン酸ジアルキル、メチルグルタル酸ジアルキルおよびエチルコハク酸ジアルキルを含む、請求項２に記載の清浄。
【請求項５】
二塩基性エステルのブレンドが、ポリアミドの生成における１種以上の副生成物から誘導される、請求項２に記載の清浄組成物。
【請求項６】
飽和炭化水素溶媒、グリコールエーテル、脂肪酸メチルエステル、脂肪族炭化水素溶媒、環式炭化水素溶媒、ハロゲン化溶媒、芳香族炭化水素溶媒、環式テルペン、不飽和炭化水素溶媒、ハロカーボン溶媒、ポリオール、エーテル、グリコールエーテルのエステル、アルコール、水、ケトン、およびこれらのあらゆる組み合わせからなる群から選択される共溶媒をさらに含む、請求項２に記載の清浄組成物。
【請求項７】
二塩基性エステルのブレンドが、組成物の約１重量％〜約６０重量％を構成し、テルペンアルコキシレート、アルコールアルコキシレートおよびこれらの組み合わせからなる群から選択される少なくとも１種の界面活性剤が、組成物の約３０重量％〜約６５重量％を構成する、請求項２に記載の清浄組成物。
【請求項８】
離層剤、緩衝剤、芳香剤、香料、消泡剤、染料、漂白剤、増白剤、可溶化材料、安定剤、増粘剤、腐食防止剤、ローション、鉱物油、酵素、曇点調節剤、粒子、防腐剤、イオン交換体、キレート剤、泡立ち制御剤、土壌除去剤、柔軟剤、乳白剤、不活性希釈剤、灰色化抑制剤、安定剤、ポリマーおよびこれらの任意の組み合わせからなる群から選択される１種以上の添加剤をさらに含む、請求項２に記載の清浄組成物。
【請求項９】
二塩基性エステルのブレンドが、約１０Ｐａ未満の蒸気圧を特徴とする、請求項２に記載の清浄組成物。
【請求項１０】
共溶媒が、６０℃超の引火点を有する脂肪族炭化水素である、請求項２に記載の清浄組成物。
【請求項１１】
少なくとも１種の界面活性剤が：
（ｉ）組成物の約５重量％〜約５５重量％のアルコールアルコキシレート界面活性剤と；
（ｉｉ）組成物の約０．１重量％〜約２５重量％のテルペンアルコキシレート界面活性剤と
を含む、請求項２に記載の清浄組成物。
【請求項１２】
テルペンアルコキシレート界面活性剤が、式：
【化４】
2013533335.tif 000020
または
【化５】
2013533335.tif 000021
式中、Ｒ６およびＲ７は、個々に、水素、ＣＨ３、またはＣ２Ｈ５であり；「ｎ」は、約１〜約３０の整数であり；「ｍ」は、０〜約２０の整数であり；「ｐ」は、０〜約２０の整数である；
を含む、請求項１１に記載の清浄組成物。
【請求項１３】
アルコールアルコキシレート界面活性剤が、式：
【化６】
2013533335.tif 000022
式中、Ｒ７は、水素、または約５〜約２５個の炭素原子を含有する炭化水素鎖であり、「ｎ」は、約１〜約３０の整数、より典型的には２〜約２０の整数、最も典型的には約３〜約１２の整数である；を含む、請求項１１に記載の清浄組成物。
【請求項１４】
粗油と接触する表面を清浄する方法であって：
（ａ）請求項２の清浄組成物を付与することと；
（ｂ）清浄組成物を、粗油を有する表面と接触させることと；
（ｃ）用いた清浄組成物を清浄された表面から除去することと
を含む方法。
【請求項１５】
下層からの油の除去のための清浄組成物であって：
（ａ）（ｉ）メチルグルタル酸ジアルキル、（ｉｉ）エチルコハク酸ジアルキル、および、場合により（ｉｉｉ）アジピン酸ジアルキルを含む二塩基性エステルのブレンドと；
（ｂ）共溶媒と
から実質的になる、清浄組成物。
【請求項１６】
二塩基性エステルのブレンドが、アジピン酸ジアルキル、メチルグルタル酸ジアルキルおよびエチルコハク酸ジアルキルを含む、請求項１５に記載の清浄組成物。
【請求項１７】
共溶媒が、飽和炭化水素溶媒、グリコールエーテル、脂肪酸メチルエステル、脂肪族炭化水素溶媒、環式炭化水素溶媒、ハロゲン化溶媒、芳香族炭化水素溶媒、環式テルペン、不飽和炭化水素溶媒、ハロカーボン溶媒、ポリオール、エーテル、グリコールエーテルのエステル、アルコール、水、ケトン、およびこれらのあらゆる組み合わせからなる群から選択される、請求項１５に記載の清浄組成物。
【請求項１８】
二塩基性エステルのブレンドが：
（ｉ）以下の式の第１二塩基性エステル：
【化７】
2013533335.tif 000023
、
（ｉｉ）以下の式の第２二塩基性エステル：
【化８】
2013533335.tif 000024
、および、場合により
（ｉｉｉ）以下の式の第３二塩基性エステル：
【化９】
2013533335.tif 000025
式中、Ｒ１およびＲ２は、個々に、メチル、エチル、プロピル、イソプロピル、ｎ−ブチル、ペンチル、イソアミル、ヘキシル、ヘプチルまたはオクチルから選択される炭化水素基を含む；を含む、請求項１５に記載の清浄組成物。
【請求項１９】
油流出における油を分散させるための方法であって：
（ａ）請求項１５からのマイクロエマルジョンを付与することと；
（ｂ）請求項１からのマイクロエマルジョンを約２重量％〜約５０重量％の水−マイクロエマルジョン混合物に希釈することと；
（ｃ）マイクロエマルジョンを流出油と接触させることと
を含む方法。
【発明の詳細な説明】
【技術分野】
【０００１】
関連出願のクロスリファレンス
本出願は、２００９年５月８日に提出された米国出願第１２／３８７，８８７号の一部継続出願であり、２０１０年６月２日に提出された米国仮出願第６１／３９６，７１６号の利益を主張し、これらの全てが、参照により本明細書に組み込まれる。
【０００２】
本発明は、低臭気、低蒸気圧、および低揮発性有機化合物（ＶＯＣ）含量であって、環境に優しく、生分解性であり、非毒性であり、かつ不燃性である清浄組成物、より詳細には、沖合、海岸および島における油流出、ならびにかかる油で覆われた下層を清浄するのに利用される清浄組成物に関する。
【背景技術】
【０００３】
油流出および油膜は、油汚染、さらには鳥類および動物に対する毒物暴露を含めた環境危険に暴露される地域および業種にとって重大な問題である。沖合での油流出における現在の解決策として、例えば油分散剤の使用がある。油分散剤とは、界面活性剤、溶媒および水の専用のブレンドである。油分散剤は、油を水中で乳化させることができ、これにより、該油を、酵素および天然酸化剤によって容易に酸化可能にする。表面を洗浄するために、他のブレンドも市販されている。該ブレンドは、汚染された下層に適用された後で、表面から油を洗浄することができる。しかし、かかる解決策は、これらの分散剤が環境への問題を引き起こし、また、易生分解性でないために、重大な欠点を有している。
【発明の概要】
【課題を解決するための手段】
【０００４】
本発明は、以下の詳細な説明および実施例から明らかとなり、１つの態様において、１種以上の二塩基性エステル；１種以上の界面活性剤；ならびに、場合により、付加成分および／または水を含む清浄組成物を含む。１つの実施形態において、清浄組成物は、漏出または流出による油を清浄することが可能である。流出した油は、表面または対象、例えば、岩、砂地、哺乳類、例えば、鳥類、ヒト、爬虫類など、植物、木などから清浄され得る。別の実施形態において、清浄組成物は、噴霧される、または油漏れ、油流出もしくは油膜と接触される油分散剤であることが可能である。
【０００５】
二塩基性エステルは、アジピン二酸、グルタル二酸およびコハク二酸、またはこれらの異性体から誘導され得る。１つの特定の実施形態において、二塩基性エステルブレンドは、メチルグルタル酸ジアルキル、エチルコハク酸ジアルキルおよびアジピン酸ジアルキルの混合物から構成され、ここで、アルキル基は、個々に、Ｃ１〜Ｃ１２炭化水素基を含む。
【０００６】
１つの態様において、本発明は、（ａ）アジピン酸ジアルキル、メチルグルタル酸ジアルキル、エチルコハク酸ジアルキル、グルタル酸ジアルキルおよびコハク酸ジアルキルの少なくとも２種、典型的には（ｉ）メチルグルタル酸ジアルキル、エチルコハク酸ジアルキル、および、場合により、アジピン酸ジアルキルの混合物、または（ｉｉ）アジピン酸ジアルキル、グルタル酸ジアルキルおよびコハク酸ジアルキルの混合物：ここで、アルキル基は、個々に、Ｃ１〜Ｃ１２炭化水素基を含む；を含む二塩基性エステルのブレンドと；（ｂ）アニオン性界面活性剤、カチオン性界面活性剤、両性界面活性剤、双性イオン界面活性剤、非イオン性界面活性剤およびこれらの任意の組み合わせからなる群から選択される界面活性剤とを含む清浄組成物である。
【０００７】
本発明の清浄組成物は：実質的に非毒性、不燃性、易生分解性、高引火点、低蒸気圧および低臭気のうちの１つまたは組み合わせを含めた所望の性質を有し；ＣＡＲＢおよびＥＰＡ（ある特定のセクション）によって確立された、消費者製品のＬＶＰ−ＶＯＣ免除の基準を満たす。１つの実施形態において、清浄組成物の蒸気圧は、２０℃において０．５ｍｍＨｇ以下である。別の実施形態において、清浄組成物の蒸気圧は、２０℃において０．１ｍｍＨｇ以下である。さらなる実施形態において、清浄組成物の蒸気圧は、２０℃において０．２ｍｍＨｇ以下である。なおさらなる実施形態において、清浄組成物の蒸気圧は、２０℃において０．０１ｍｍＨｇ以下である。
【０００８】
別の態様において、本発明は、清浄組成物であって、該組成物の全重量を基準にして：（ａ）約１重量％〜約６０重量％の、二塩基性エステルのブレンドと；（ｂ）約０．１重量％〜約６５重量％の１種以上の界面活性剤と；場合により（ｃ）水とを含む清浄組成物である。別の実施形態において、清浄組成物は、約１重量％〜約１２重量％のｄ−リモネンをさらに含む。本発明の清浄組成物は、種々の消費者および／または工業用途において用いられ得るが、典型的には、本発明において、油膜、油漏れおよび油流出を清浄または分散するのに用いられる。かかる油は、対象、例えば、岩、砂地、哺乳類、鳥類、植物などと接触している場合も、これらを望ましくなく被覆している場合もある。
【０００９】
別の態様において、本発明は、マイクロエマルジョンの形態の清浄組成物であって：約１重量％〜約６０重量％の、二塩基性エステルのブレンドと；約０．１重量％〜約６５重量％の１種以上の界面活性剤と；場合により水とを含み；より典型的には、約５重量％〜約４０重量％の、二塩基性エステルのブレンドと；（ｂ）約５重量％〜約４０重量％の１種以上の界面活性剤、典型的には、１種以上の非イオン性界面活性剤と；場合により（ｃ）水とを含む、清浄組成物である。別の実施形態において、清浄組成物マイクロエマルジョンは、約１重量％〜約１２重量％のテルペン、テルペンＥＯ／ＰＯ、ピネンまたはその誘導体をさらに含む。場合により、添加剤、例えば、芳香剤および可溶化剤、ｐＨ調整剤、漂白剤、離層剤、乳白剤、防食剤、消泡剤、着色剤、安定剤および増粘剤が添加されてよい。本発明の清浄組成物は、典型的にはマイクロエマルジョンの形態であり、用途に応じて液体または噴霧製剤として提供されて用いられる。
【００１０】
界面活性剤は、両性、カチオン性、アニオン性もしくは非イオン性界面活性剤または界面活性剤のブレンドのいずれであってもよい。１つの実施形態において、界面活性剤は、非イオン性界面活性剤、典型的には、アルコールエトキシレート、アルキルフェノールエトキシレートまたはテルペンアルコキシレートである。より典型的には、界面活性剤は、Ｃ７〜Ｃ１２アルコールエトキシレート、例えば、Ｒｈｏｄｉａ  Ｉｎｃ．（Ｃｒａｎｂｕｒｙ、ＮＪ）製のＲｈｏｄａｓｕｒｆ９１−６界面活性剤であり、最も典型的には、界面活性剤は、Ｃ９〜Ｃ１１線状アルコールエトキシレートである。
【００１１】
さらなる態様において、本発明は、工業用および／または消費者用の清浄組成物であって：（ａ）清浄組成物の約１重量％〜約６５重量％の、二塩基性エステルのブレンドにおいて：
（ｉ）ブレンドの約７〜１４重量％の、以下の式のジエステル：
【化１】
2013533335.tif 000002
（ｉｉ）ブレンドの約８０〜９４重量％の、以下の式のジエステル：
【化２】
2013533335.tif 000003
、および
（ｉｉｉ）（ブレンドの重量の）約０〜５％の、以下の式のジエステル：
【化３】
2013533335.tif 000004
（ＸＩ）
を含み、
式中、Ｒ１および／またはＲ２が、個々に、約１〜約１２個の炭素原子を有する炭化水素、典型的には、メチル、エチル、プロピル、イソプロピル、ブチル、イソブチル、ｎ−ブチルまたはイソアミルを含む；ブレンドと；（ｂ）清浄組成物の約０．１重量％〜約６５重量％の界面活性剤と；（ｃ）清浄組成物の約０重量％〜約１２重量％の１種以上の付加成分と；（ｄ）清浄組成物の約２重量％〜約８５重量％の水とを含む、清浄組成物である。
【００１２】
別の態様において、本発明は、油被覆表面を清浄する方法であって：（ａ）：（ｉ）アジピン酸ジアルキル、メチルグルタル酸ジアルキルおよびエチルコハク酸ジアルキルを含む二塩基性エステルのブレンド；ならびに（ｉｉ）アニオン性界面活性剤、カチオン性界面活性剤、両性界面活性剤、双性イオン界面活性剤、非イオン性界面活性剤およびこれらの任意の組み合わせからなる群から選択される界面活性剤を含む清浄組成物を得ることと；（ｂ）清浄組成物を、その表面に汚染物を有する被覆表面と接触させることと；（ｃ）用いた清浄組成物を清浄された被覆表面から除去することとを含む方法である。
【００１３】
本発明の清浄組成物は、高引火点、低蒸気圧および低臭気であって環境に優しく；ＣＡＲＢおよびＥＰＡ（ある特定のセクション）によって確立された、消費者製品のＬＶＰ−ＶＯＣ免除の基準に該当する。本発明の清浄製剤は、限定されないが、非毒性であること、生分解性であること、不燃性であることなどを含めた環境に優しい特性を有する。
【発明を実施するための形態】
【００１４】
用語「アルキル」は、本明細書において用いられるとき、限定されないが、メチル、エチル、ｎ−プロピル、イソ−プロピル、ｎ−ブチル、ｓｅｃ−ブチル、ｔ−ブチル、ペンチル、ｎ−ヘキシル、およびシクロヘキシルを含めた飽和または不飽和の直鎖、分枝鎖、または環式の炭化水素基を意味する。
【００１５】
用語「アリール」は、本明細書において用いられるとき、３個の共役二重結合によって不飽和が表されてよい１個以上の６員炭素環を含有する一価の不飽和炭化水素基を意味し、限定されないが、フェノキシ、フェニル、メチルフェニル、ジメチルフェニル、トリメチルフェニル、クロロフェニル、トリクロロメチルフェニル、アミノフェニル、およびトリスチリルフェニルを含めた、ヒドロキシ、アルキル、アルケニル、ハロ、ハロアルキル、またはアミノを有する環の炭素の１個以上が置換されていてよい。
【００１６】
用語「アルキレン」は、本明細書において用いられるとき、二価の飽和の直鎖または分枝鎖の炭化水素基、例えば、メチレン、ジメチレン、トリメチレンなどを意味する
【００１７】
有機基を参照した術語「（Ｃｒ〜Ｃｓ）」は、本明細書において用いられるとき、ｒおよびｓが各々整数であって、該基が、１つの基あたりｒ個の炭素原子〜ｓ個の炭素原子を含有していてよいことを示す。
【００１８】
術語「界面活性剤」は、本明細書において用いられるとき、水性媒体に溶解したときに、水性媒体の表面張力を低下させる化合物を意味する。
【００１９】
本発明は、二塩基性エステルのブレンドを含む清浄組成物である。１つの実施形態において、該ブレンドは、アルコールおよび線状二酸の付加物の混合物を含み、該付加物は、式Ｒ１−ＯＯＣ−Ａ−ＣＯＯ−Ｒ２：式中、Ｒ１および／またはＲ２が、個々に、Ｃ１〜Ｃ１２アルキル、より典型的にはＣ１〜Ｃ８アルキルを含み、Ａが、−（ＣＨ２）４−、−（ＣＨ２）３、または−（ＣＨ２）２−を含む；を有する。別の実施形態において、Ｒ１および／またはＲ２は、個々に、Ｃ４〜Ｃ１２アルキル、より典型的にはＣ４〜Ｃ８アルキルを含む。１つの実施形態において、Ｒ１およびＲ２は、個々に、フーゼル油に由来する炭化水素基を含むことができる。１つの実施形態において、Ｒ１およびＲ２は、個々に、１〜８個の炭素原子を有する炭化水素基を含むことができる。１つの実施形態において、Ｒ１およびＲ２は、個々に、５〜８個の炭素原子を有する炭化水素基を含むことができる。
【００２０】
１つの実施形態において、該ブレンドは、アルコールおよび分枝状または線状二酸の付加物の混合物を含み、該付加物は、式Ｒ１−ＯＯＣ−Ａ−ＣＯＯ−Ｒ２：式中、Ｒ１および／またはＲ２が、個々に、Ｃ１〜Ｃ１２アルキル、より典型的にはＣ１〜Ｃ８アルキルを含み、Ａが、−（ＣＨ２）４−、−ＣＨ２ＣＨ２ＣＨ（ＣＨ３）−、または−ＣＨ２ＣＨ（Ｃ２Ｈ５）−を含む；を有する。別の実施形態において、Ｒ１および／またはＲ２は、個々に、Ｃ４〜Ｃ１２アルキル、より典型的にはＣ４〜Ｃ８アルキルを含む。１つの特定の実施形態において、該ブレンドは、式Ｒ１−ＯＯＣ−ＣＨ２ＣＨ２ＣＨ（ＣＨ３）−ＣＯＯ−Ｒ２およびＲ１−ＯＯＣ−ＣＨ２ＣＨ（Ｃ２Ｈ５）−ＣＯＯ−Ｒ２を有する付加物の混合物を含む。酸部分は、かかる二塩基酸、例えば、アジピン酸、コハク酸、グルタル酸、シュウ酸、マロン酸、ピメリン酸、スベリン酸およびアゼライン酸、ならびにこれらの混合物から誘導されてよいことが理解される。
【００２１】
本発明において用いられる１種以上の二塩基性エステルは、いずれの適切なプロセスによって調製されてもよい。例えば、アジピン酸およびフーゼル油の付加物を調製するためのプロセスは、例えば、文献「Ｔｈｅ  Ｕｓｅ  ｏｆ  Ｅｇｙｐｔｉａｎ  Ｆｕｓｅｌ  Ｏｉｌ  ｆｏｒ  ｔｈｅ  Ｐｒｅｐａｒａｔｉｏｎ  ｏｆ  Ｓｏｍｅ  Ｐｌａｓｔｉｃｉｚｅｒｓ  Ｃｏｍｐａｔｉｂｌｅ  ｗｉｔｈ  Ｐｏｌｙｖｉｎｙｌ  Ｃｈｌｏｒｉｄｅ」、Ｃｈｕｉｂａら、Ｉｎｄｉａｎ  Ｊｏｕｒｎａｌ  ｏｆ  Ｔｅｃｈｎｏｌｏｇｙ、Ｖｏｌ．２３、１９８５年８月、３０９〜３１１頁に記載されている。
【００２２】
本発明の二塩基性エステルは、式ＨＯＯＣ−Ａ−ＣＯＯＨの二酸または式ＭｅＯＯＣ−Ａ−ＣＯＯＭｅのジエステルと分枝状アルコールまたはアルコールの混合物との反応による「エステル化」段階を含むプロセスによって得ることができる。該反応は、適切に触媒されてよい。二酸またはジエステルあたり少なくとも２モル当量のアルコールの使用がなされることが好ましい。反応は、適切な場合には、反応副生成物の抽出、続いての濾過および／または精製の段階、例えば蒸留により促進されてよい。
【００２３】
混合物の形態の二酸は、ブタジエンの二重のヒドロシアノ化によるアジポニトリルの製造のためのプロセスにおいて特に生成および回収されたジニトリル化合物の混合物から特に得ることができる。このプロセスは、世界中で消費されるかなりの大多数のアジポニトリルを生成するのに工業的に大規模に用いられ、多数の特許および研究に記載されている。ブタジエンのヒドロシアノ化のための反応は、線状ジニトリルの製剤を優先的にもたらすだけでなく、分枝状ジニトリルの形成ももたらし、これらの２種の主要なジニトリルは、メチルグルタロニトリルおよびエチルスクシノニトリルである。分枝状のジニトリル化合物は、蒸留によって分離され、アジポニトリルの分離および精製の段階において、例えば、蒸留カラムにおける頂部画分として回収される。分枝状のジニトリルは、その後、二酸またはジエステルに変換され得る（アルコールもしくはアルコールの混合物またはフーゼル油とのその後のエステル交換反応で軽質ジエステルに、あるいは直接、本発明によるジエステルに、のいずれか）。
【００２４】
本発明の二塩基性エステルは、ポリアミド、例えば、ポリアミド６，６の生成における１種以上の副生成物から誘導され得る。１つの実施形態において、清浄組成物は、アジピン二酸、グルタル二酸、およびコハク二酸の、線状または分枝状の、環式または非環式のＣ１〜Ｃ２０アルキル、アリール、アルキルアリールまたはアリールアルキルエステルのブレンドを含む。別の実施形態において、清浄組成物は、アジピン二酸、メチルグルタル二酸、およびエチルコハク二酸の線状または分枝状の、環式または非環式のＣ１〜Ｃ２０アルキル、アリール、アルキルアリールまたはアリールアルキルエステルのブレンドを含む。
【００２５】
一般に、ポリアミドは、ジアミンおよびジカルボン酸を反応させることによって形成される縮合反応によって調製されるコポリマーである。具体的には、ポリアミド６，６は、ジアミン、典型的にはヘキサメチレンジアミンを、ジカルボン酸、典型的にはアジピン酸と反応させることによって形成される縮合反応によって調製されるコポリマーである。
【００２６】
１つの実施形態において、本発明のブレンドは、ポリアミドの生成において利用されるアジピン酸の反応、合成および／または生成における１種以上の副生成物から誘導され得、清浄組成物は、アジピン二酸、グルタル二酸、およびコハク二酸のジアルキルエステルのブレンド（本明細書において、「ＡＧＳ」または「ＡＧＳブレンド」と称することもある）を含んでいる。
【００２７】
１つの実施形態において、エステルのブレンドは、ポリアミド、典型的にはポリアミド６，６の生成において利用されるヘキサメチレンジアミンの反応、合成および／または生成における副生成物から誘導される。清浄組成物は、アジピン二酸、メチルグルタル二酸、およびエチルコハク二酸のジアルキルエステルのブレンド（本明細書において、「ＭＧＡ」、「ＭＧＮ」、「ＭＧＮブレンド」または「ＭＧＡブレンド」と称することもある）を含む。
【００２８】
本発明の二塩基性エステルブレンドの沸点は、約１２０℃〜４５０℃の範囲の間である。１つの実施形態において、本発明の該ブレンドの沸点は、約１６０℃〜４００℃の範囲内であり；１つの実施形態において、該範囲は、約２１０℃〜２９０℃であり；別の実施形態において、該範囲は、約２１０℃〜２４５℃であり；別の実施形態において、該範囲は、約２１５℃〜２２５℃である。１つの実施形態において、本発明の該ブレンドの沸点範囲は、約２１０℃〜３９０℃の間、より典型的には約２８０℃〜３９０℃の範囲内、より典型的には２９５℃〜３９０℃の範囲内である。１つの実施形態において、本発明の該ブレンドの沸点は、約２１５℃〜４００℃の範囲内、典型的には約２２０℃〜３５０℃の範囲内である。
【００２９】
１つの実施形態において、二塩基性エステルのブレンドは、約３００℃と３３０℃との間の沸点範囲を有する。典型的には、ジイソアミルＡＧＳブレンドは、この沸点範囲となる。別の実施形態において、本発明の二塩基性エステルブレンドは、約２９５℃と３１０℃との間の沸点範囲を有する。典型的には、ジ−ｎ−ブチルＡＧＳブレンドは、この沸点範囲となる。一般に、より高い沸点、典型的には２１５℃超、または高い沸点範囲は、より低いＶＯＣに相当する。
【００３０】
二塩基性エステルまたは二塩基性エステルのブレンドは、１つの実施形態においては（ａ）アジピン二酸、グルタル二酸およびコハク二酸のジアルキルエステルのブレンドまたはアジピン二酸、メチルグルタル二酸、およびエチルコハク二酸のジアルキルエステルのブレンドと；（ｂ）少なくとも１種の界面活性剤と；場合により（ｃ）水または溶媒とを含む本発明の清浄組成物に組み込まれる。付加成分が添加されてもよい。界面活性剤は、カチオン性、両性、双性、アニオン性または非イオン性界面活性剤、これらの誘導体、ならびにかかる界面活性剤のブレンドのいずれであってもよい。
【００３１】
１つの実施形態において、非イオン性界面活性剤は、例えば、アミド、例えば、アルカノールアミド、エトキシ化アルカノールアミド、エチレンビスアミド；エステル、例えば、脂肪酸エステル、グリセロールエステル、エトキシ化脂肪酸エステル、ソルビタンエステル、エトキシ化ソルビタン；エトキシレート、例えば、アルキルフェノールエトキシレート、アルコールエトキシレート、トリスチリルフェノールエトキシレート、メルカプタンエトキシレート；エンドキャップおよびＥＯ／ＰＯブロックコポリマー、例えば、エチレンオキシド／プロピレンオキシドブロックコポリマー、塩素キャップエトキシレート、４官能性ブロックコポリマー；アミンオキシド、例えば、ラウラミンオキシド、コカミンオキシド、ステアラミンオキシド、ステアラミドプロピルアミンオキシド、パルミタミドプロピルアミンオキシド、デシルアミンオキシド；脂肪アルコール、例えば、デシルアルコール、ラウリルアルコール、トリデシルアルコール、ミリスチルアルコール、セチルアルコール、ステアリルアルコール、オレイルアルコール、リノレイルアルコールおよびリノレニルアルコール；ならびにアルコキシ化アルコール、例えば、エトキシ化ラウリルアルコール、トリデセスアルコール；ならびに脂肪酸、例えば、ラウリン酸、オレイン酸、ステアリン酸、ミリスチン酸、セテアリン酸（ｃｅｔｅａｒｉｃ  ａｃｉｄ）、イソステアリン酸、リノール酸、リノレン酸、リシノール酸、エライジン酸、アラキドン酸、ミリストレイン酸ならびにこれらの混合物のうちの１種以上を一般に含む。
【００３２】
別の実施形態において、非イオン性界面活性剤は、グリコール、例えば、ポリエチレングリコール（ＰＥＧ）、アルキルＰＥＧエステル、ポリプロピレングリコール（ＰＰＧ）およびこれらの誘導体である。１つの実施形態において、界面活性剤は、アルコールエトキシレート、アルキルフェノールエトキシレートまたはテルペンアルコキシレートである。１つの例示的な実施形態において、界面活性剤は、Ｃ６〜Ｃ１３アルコールエトキシレート、より典型的には、Ｃ８〜Ｃ１２アルコールエトキシレートである。
【００３３】
別の実施形態において、界面活性剤は、カチオン性界面活性剤である。カチオン性界面活性剤として、限定されないが、四級アンモニウム化合物、例えば、セチルトリメチルアンモニウムブロミド（ＣＥＴＡＢまたはセトリモニウムブロミドとしても公知である）、セチルトリメチルアンモニウムクロリド（セトリモニウムクロリドとしても公知である）、ミリスチルトリメチルアンモニウムブロミド（ミルトリモニウムブロミドまたはクオタニウム−１３としても公知である）、ステアリルジメチルジステアリルジモニウムクロリド、ジセチルジモニウムクロリド、ステアリルオクチルジモニウムメトサルフェート、二水素化パルモイルエチルヒドロキシエチルモニウムメトサルフェート、イソステアリルベンジルイミドニウムクロリド、ココイルベンジルヒドロキシエチルイミダゾリニウムクロリド、ジセチルジモニウムクロリドおよびジステアリルジモニウムクロリド；イソステアリルアミノプロパルコニウムクロリドまたはオレアルコニウムクロリド；ベヘントリモニウムクロリド；ならびにこれらの混合物が挙げられる。
【００３４】
別の実施形態において、界面活性剤は、アニオン性界面活性剤である。アニオン性界面活性剤として、限定されないが、線状アルキルベンゼンスルホネート、アルファオレフィンスルホネート、パラフィンスルホネート、アルキルエステルスルホネート、アルキルサルフェート、アルキルアルコキシサルフェート、アルキルスルホネート、アルキルアルコキシカルボキシレート、アルキルアルコキシ化サルフェート、モノアルキルホスフェート、ジアルキルホスフェート、サルコシネート、スルホサクシネート、イセチオネート、およびタウレート、ならびにこれらの混合物が挙げられる。本発明の組成物のアニオン性界面活性剤成分として好適である、一般的に用いられているアニオン性界面活性剤として、例えば、ラウリル硫酸アンモニウム、ラウレス硫酸アンモニウム、ラウリル硫酸トリエチルアミン、ラウレス硫酸トリエチルアミン、ラウリル硫酸トリエタノールアミン、ラウレス硫酸トリエタノールアミン、ラウリル硫酸モノエタノールアミン、ラウレス硫酸モノエタノールアミン、ラウリル硫酸ジエタノールアミン、ラウレス硫酸ジエタノールアミン、ラウリルモノグリセリド硫酸ナトリウム、ラウリル硫酸ナトリウム、ラウレス硫酸ナトリウム、ラウリル硫酸カリウム、ラウレス硫酸カリウム、モノアルキルリン酸ナトリウム、ジアルキルリン酸ナトリウム、ラウロイルサルコシン酸ナトリウム、ラウロイルサルコシン、ココイルサルコシン、コシル硫酸アンモニウム、ラウリル硫酸アンモニウム、コシル硫酸ナトリウム、トリデセス硫酸ナトリウム、トリデシル硫酸ナトリウム、トリデセス硫酸アンモニウム、トリデシル硫酸アンモニウム、ココイルイセチオン酸ナトリウム、ラウレススルホコハク酸二ナトリウム、メチルオレオイルタウリン酸ナトリウム、ラウレスカルボン酸ナトリウム、トリデセスカルボン酸ナトリウム、ラウリル硫酸ナトリウム、コシル硫酸カリウム、ラウリル硫酸カリウム、モノエタノールアミンコシルサルフェート、トリデシルベンゼンスルホン酸ナトリウム、およびドデシルベンゼンスルホン酸ナトリウムが挙げられる。分枝状のアニオン性界面活性剤、例えば、トリデセス硫酸ナトリウム、トリデシル硫酸ナトリウム、トリデセス硫酸アンモニウム、トリデシル硫酸アンモニウム、およびトリデセスカルボン酸ナトリウムが特に好ましい。
【００３５】
使用が許容される任意の両性界面活性剤として、限定されないが、脂肪族基が直鎖状であっても分枝状であってもよく、脂肪族置換基の１つが約８〜約１８個の炭素原子を含有し、１つがアニオン性水溶化基を含有する、脂肪族二級および三級アミンの誘導体が挙げられる。好適な両性界面活性剤の具体例として、アルキルアンフォカルボキシグリシネートおよびアルキルアンフォカルボキシプロピオネート、アルキルアンフォジプロピオネート、アルキルアンフォジアセテート、アルキルアンフォグリシネート、およびアルキルアンフォプロピオネート、ならびにアルキルイミノプロピオネート、アルキルイミノジプロピオネート、およびアルキルアンフォプロピルスルホネート、例えば、ココアンフォアセテート  ココアンフォプロピオネート、ココアンフォジアセテート、ラウロアンフォアセテート、ラウロアンフォジアセテート、ラウロアンフォジプロピオネート、ラウロアンフォジアセテート、ココアンフォプロピルスルホネート  カプロアンフォジアセテート、カプロアンフォアセテート、カプロアンフォジプロピオネート、およびステアロアンフォアセテートのアルカリ金属、アルカリ土類金属、アンモニウムまたは置換アンモニウム塩が挙げられる。
【００３６】
好適な双性イオン界面活性剤として、アルキルベタイン、例えば、ココジメチルカルボキシメチルベタイン、ラウリルジメチルカルボキシメチルベタイン、ラウリルジメチルアルファ−カルボキシ−エチルベタイン、セチルジメチルカルボキシメチルベタイン、ラウリルビス−（２−ヒドロキシ−エチル）カルボキシメチルベタイン、ステアリルビス−（２−ヒドロキシ−プロピル）カルボキシメチルベタイン、オレイルジメチルガンマ−カルボキシプロピルベタイン、およびラウリルビス−（２−ヒドロキシプロピル）アルファ−カルボキシエチルベタイン、アミドプロピルベタイン、ならびにアルキルスルタイン、例えば、ココジメチルスルホプロピルベタイン、ステアリルジメチルスルホプロピルベタイン、ラウリルジメチルスルホエチルベタイン、ラウリルビス−（２−ヒドロキシ−エチル）スルホプロピルベタイン、およびアルキルアミドプロピルヒドロキシスルタインが挙げられる。
【００３７】
１つの実施形態において、清浄組成物は、（ａ）約７０〜９０％のジアルキルジメチルグルタレート、約５〜３０％のエチルコハク酸ジアルキルおよび約０〜１０％のアジピン酸ジアルキルのブレンドと；（ｂ）ｉ）アルコールアルコキシレート、テルペンアルコキシレート、またはこれらの誘導体を含む界面活性剤組成物と；（ｃ）離層剤と（ｄ）水とを含むマイクロエマルジョンである。各アルキル置換基は、個々に、約１〜８個の炭化水素を含有する炭化水素基、例えば、メチルもしくはエチル、プロピル、イソプロピル、ブチル、ｎ−ブチルもしくはペンチル、またはイソアミル基から選ばれる。場合により、１種以上の添加剤または付加成分、例えば、剥離剤、緩衝および／またはｐＨ制御剤、芳香剤、乳白剤、防食剤、漂白剤、消泡剤、染料、泡立ち制御剤、安定剤、増粘剤などが、組成物に添加されてよい。
【００３８】
本発明の１つの実施形態によると、二塩基性エステルのブレンドは、ポリアミド中の主なモノマーのうちの１つである、アジピン酸の調製の１種以上の副生成物に相当する。例えば、ジアルキルエステルは、重量基準で、１５〜３３％のコハク酸、５０〜７５％のグルタル酸および５〜３０％のアジピン酸を一般に含有する１種の副生成物のエステル化によって得られる。別の例として、ジアルキルエステルは、重量基準で、３０〜９５％のメチルグルタル酸、５〜２０％のエチルコハク酸および１〜１０％のアジピン酸を一般に含有する第２副生成物のエステル化によって得られる。酸部分は、かかる二塩基酸、例えば、アジピン酸、コハク酸、グルタル酸、シュウ酸、マロン酸、ピメリン酸、スベリン酸およびアゼライン酸、ならびにこれらの混合物から誘導されてよいことが理解される。
【００３９】
いくつかの実施形態において、二塩基性エステルブレンドは、アルコールおよび線状二酸の付加物であって、式Ｒ−ＯＯＣ−Ａ−ＣＯＯ−Ｒ：式中、Ｒはエチルであり、Ａは−（ＣＨ２）４−、−（ＣＨ２）３、および−（ＣＨ２）２−の混合物である；を有する付加物を含む。他の実施形態において、該ブレンドは、アルコール、典型的にはエタノール、および線状二酸の付加物であって、式Ｒ１−ＯＯＣ−Ａ−ＣＯＯ−Ｒ２：式中、Ｒ１および／またはＲ２の少なくとの一部は、４個の炭素原子を有する少なくとも１種の線状アルコール、および／または少なくとも５個の炭素原子を有する少なくとも１種の線状もしくは分枝状のアルコールの残基であり、Ａは、二価の線状炭化水素である；を有する付加物を含む。いくつかの実施形態において、Ａは、−（ＣＨ２）４−、−（ＣＨ２）３、および−（ＣＨ２）２−のうちの１つまたは混合物である。
【００４０】
別の実施形態において、Ｒ１および／またはＲ２基は、線状または分枝状の、環式または非環式のＣ１〜Ｃ２０アルキル、アリール、アルキルアリールまたはアリールアルキル基であってよい。典型的には、Ｒ１および／またはＲ２基は、Ｃ１〜Ｃ８基、例えば、メチル、エチル、ｎ−プロピル、イソプロピル、ｎ−ブチル、ｎ−アミル、ｎ−ヘキシル、シクロヘキシル、２−エチルヘキシルおよびイソオクチル基ならびにこれらの混合物から選ばれる基であってよい。例えば、Ｒ１および／またはＲ２は、両方がまたは個々にエチル基であってよく、Ｒ１および／またはＲ２は、両方がまたは個々にｎ−プロピル基であってよく、Ｒ１および／またはＲ２は、両方がまたは個々にイソプロピル基であってよく、Ｒ１および／またはＲ２は、両方がまたは個々にｎ−ブチル基であってよく、Ｒ１および／またはＲ２は、両方がまたは個々にイソアミル基であってよく、Ｒ１および／またはＲ２は、両方がまたは個々にｎ−アミル基であってよく、あるいは、Ｒ１および／またはＲ２は、これらの混合物であってよい（例えば、二塩基性エステルのブレンドを含むとき）。
【００４１】
さらなる実施形態において、本発明は、分枝状二酸の付加物であって、式Ｒ３−ＯＯＣ−Ａ−ＣＯＯ−Ｒ４：式中、Ｒ３およびＲ４は同じまたは異なるアルキル基であり、Ａは、分枝状または線状の炭化水素である；を有する付加物を含むブレンドを含むことができる。典型的には、Ａは、Ｃ４炭化水素の異性体を含む。例として、Ｒ３および／またはＲ４が、線状または分枝の、環式または非環式のＣ１〜Ｃ２０アルキル、アリール、アルキルアリールまたはアリールアルキル基であってよいものが挙げられる。典型的には、Ｒ３およびＲ４は、メチル、エチル、プロピル、イソプロピル、ブチル、ｎ−ブチル、イソ−ブチル、イソ−アミル、およびフーゼルからなる群から独立して選択される。
【００４２】
なお別の実施形態において、本発明は、式Ｒ５−ＯＯＣ−Ａ−ＣＯＯ−Ｒ６：式中、基Ａは、典型的には、平均で２．５〜１０個の炭素原子の範囲の二価のアルキレン基を表す；のジカルボン酸ジエステルをベースとする組成物を含む。Ｒ５およびＲ６基は、同一であっても異なっていてもよく、線状または分枝状の、環式または非環式のＣ１〜Ｃ２０アルキル、アリール、アルキルアリールまたはアリールアルキル基を表す。
【００４３】
ブレンドは、複合反応生成物に相当することができ、ここでは、反応体の混合物が用いられる。例えば、ＨＯＯＣ−Ａａ−ＣＯＯＨおよびＨＯＯＣ−Ａｂ−ＣＯＯＨの混合物とアルコールＲａ−ＯＨとの反応は、生成物ＲａＯＯＣ−Ａａ−ＣＯＯＲａおよびＲａＯＯＣ−Ａｂ−ＣＯＯＲａの混合物を与えることができる。同様に、ＨＯＯＣ−Ａａ−ＣＯＯＨとアルコールＲａ−ＯＨおよびＲｂ−ＯＨの混合物との反応は、生成物ＲａＯＯＣ−Ａａ−ＣＯＯＲａおよびＲｂＯＯＣ−Ａａ−ＣＯＯＲｂ、ＲａＯＯＣ−Ａａ−ＣＯＯＲｂおよびＲｂＯＯＣ−Ａａ−ＣＯＯＲａ（Ａａが対称でないときにはＲａＯＯＣ−Ａａ−ＣＯＯＲｂとは異なる）の混合物を与えることができる。同様に、ＨＯＯＣ−Ａａ−ＣＯＯＨおよびＨＯＯＣ−Ａｂ−ＣＯＯＨの混合物とアルコールＲａ−ＯＨおよびＲｂ−ＯＨの混合物との反応は、生成物ＲａＯＯＣ−Ａａ−ＣＯＯＲａおよびＲｂＯＯＣ−Ａａ−ＣＯＯＲｂ、ＲａＯＯＣ−Ａａ−ＣＯＯＲｂ、ＲｂＯＯＣ−Ａａ−ＣＯＯＲａ（Ａａが対称でないときにはＲａＯＯＣ−Ａａ−ＣＯＯＲｂとは異なる）、ＲａＯＯＣ−Ａｂ−ＣＯＯＲａおよびＲｂＯＯＣ−Ａｂ−ＣＯＯＲｂ、ＲａＯＯＣ−Ａｂ−ＣＯＯＲｂおよびＲｂＯＯＣ−Ａｂ−ＣＯＯＲａ（Ａｂが対称でないときにはＲａＯＯＣ−Ａｂ−ＣＯＯＲｂとは異なる）の混合物を与えることができる。
【００４４】
基Ｒ１およびＲ２は、アルコールＲ１−ＯＨおよびＲ２−ＯＨ（それぞれ）に相当することができる。これらの基は、アルコールと連結していてよい。基Ａは、１種以上のジカルボン酸ＨＯＯＣ−Ａ−ＣＯＯＨに相当することができる。基Ａは、相当する二酸（二酸は基Ａよりも２個多い炭素原子を含む）と連結していてよい。
【００４５】
１つの実施形態において、基Ａは、平均で２個を超える炭素原子を含む二価のアルキレン基である。基Ａは、３個以上、例えば３または４個に等しい整数個の炭素原子を有する単一基であってよい。かかる単一基は、単一酸の使用に相当することができる。しかし、典型的には、単一基は、化合物の混合物であって、少なくとも一方が少なくとも３個の炭素原子を示す化合物の混合物に相当する基の混合物に相当する。基Ａの混合物は、同一個数の炭素原子を含む異なる異性体基の混合物および／または異なる個数の炭素原子を含む異なる基の混合物に相当することができることが理解される。基Ａは、線状および／または分枝状の基を含むことができる。
【００４６】
１つの実施形態によると、基Ａの少なくとも一部分が、式−（ＣＨ２）ｎ−：式中、ｎは３以上の平均数である；の基に相当する。基Ａの少なくとも一部分は、式−（ＣＨ２）４−の基であってよい（対応する酸はアジピン酸である）。例えば、Ａは、式−（ＣＨ２）４−の基および／または式−（ＣＨ２）３−の基であってよい。
【００４７】
１つの実施形態において、組成物は、式Ｒ−ＯＯＣ−Ａ−ＣＯＯ−Ｒ：式中、Ａは式−（ＣＨ２）４−の基である；の化合物、式Ｒ−ＯＯＣ−Ａ−ＣＯＯ−Ｒ：式中、Ａは式−（ＣＨ２）３−の基である；の化合物、および式Ｒ−ＯＯＣ−Ａ−ＣＯＯ−Ｒ：式中、Ａは式−（ＣＨ２）２−の基である；の化合物を含む。
【００４８】
二塩基性エステルのブレンドは、マイクロエマルジョン形態（液滴が水相に分散している）にある清浄組成物中に典型的には存在する。いずれの理論にも束縛されることを望まないが、マイクロエマルジョンは、多量の乳化剤を一般に含む一般には熱力学的に安定な系であることが指摘されている。マイクロエマルジョンはエマルジョンではなく、マイクロエマルジョンが熱力学的に安定であるという点においてエマルジョンとは区別され、これは、マイクロエマルジョンが最低エネルギー状態にあることを意味している。比較すると、エマルジョンは、単に動力学的に安定であるだけで、これは、乳化された相が水から分離する速度が非常に遅いことを意味している。マイクロエマルジョンは、穏やかな混合または振とうによって容易に調製することができ、容易に分離相に分離することも沈降することもない。
【００４９】
他のエマルジョン（マクロエマルジョン）は、ある一定時間は準安定状態に保存されて、機械的エネルギーが乳化の間に供給される、一般には熱力学的に不安定な状態にある系である。これらの系は、より少ない量の乳化剤を一般に含む。
【００５０】
１つの実施形態において、本発明のマイクロエマルジョンは、平均液滴サイズが一般に約０．１５μｍ以下であるエマルジョンである。マイクロエマルジョン液滴のサイズは、例えば以下に記載される動的光散乱（ＤＬＳ）によって測定されてよい。用いられる装置は、例えば、Ｓｐｅｃｔｒａ−Ｐｈｙｓｉｃｓ２０２０レーザー、Ｂｒｏｏｋｈａｖｅｎ２０３０相関器および関連するコンピュータ系設備からなる。サンプルは、濃縮されると、２重量％の最終濃度を有するように脱イオン水中で希釈されて０．２２μｍのフィルタを通して濾過されてよい。得られる直径は、見掛けの直径である。測定値は、９０°および１３５°の角度で採取される。サイズ測定では、キュムラント（ｃｕｍｕｌｅｎｔ）による標準的な分析の他に、３種の、自己相関関数の開発物が用いられ（Ｐｒｏｆ．Ｐｉｋｅ、「Ｎｏｎ  Ｎｅｇａｔｉｖｅｌｙ  Ｃｏｎｓｔｒａｉｎｅｄ  Ｌｅａｓｔ  Ｓｑｕａｒｅｓ」によって記載されている指数サンプリングまたはＥＸＰＳＡＭ、あるいはＮＮＬＳ法、およびＰｒｏｆ．Ｐｒｏｖｅｎｃｈｅｒによって記載されているＣＯＮＴＩＮ法）、これらは、質量または数によるよりもむしろ散乱強度によって秤量されるサイズ分布をそれぞれ与える。水の屈折率および粘度が考慮される。
【００５１】
１つの実施形態によると、マイクロエマルジョンは透明である。マイクロエマルジョンは、例えば、Ｌａｍｂｄａ４０ＵＶ可視分光計を用いて６００ｎｍの波長で測定された、例えば少なくとも９０％、好ましくは少なくとも９５％の透過率を有することができる。
【００５２】
別の実施形態によると、エマルジョンは、平均液滴サイズが０．１５μｍ以上、例えば０．５μｍ、１μｍ、２μｍ、１０μｍ、または２０μｍ超で好ましくは１００μｍ未満であるエマルジョンである。液滴サイズは、光学顕微鏡および／またはレーザー粒度分布（Ｈｏｒｉｂａ  ＬＡ−９１０レーザー散乱分析器）によって測定されてよい。
【００５３】
ある特定の実施形態において、二塩基性エステルブレンドは：
以下の式Ｉのジエステル：
【化４】
2013533335.tif 000005
（Ｉ）；
以下の式ＩＩのジエステル：
【化５】
2013533335.tif 000006
（ＩＩ）；および
以下の式ＩＩＩのジエステル：
【化６】
2013533335.tif 000007
を含む。
【００５４】
Ｒ１および／またはＲ２は、個々に、約１〜約８個の炭素原子を有する炭化水素、典型的には、メチル、エチル、プロピル、イソプロピル、ブチル、イソブチル、ｎ−ブチル、イソアミル、ヘキシル、ヘプチルまたはオクチルを含むことができる。かかる実施形態において、該ブレンドは、（ブレンドの重量の）（ｉ）約１５％〜約３５％の式Ｉのジエステル、（ｉｉ）約５５％〜約７０％の式ＩＩのジエステル、および（ｉｉｉ）約７％〜約２０％の式ＩＩＩのジエステルを典型的には含み、（ｉ）約２０％〜約２８％の式Ｉのジエステル、（ｉｉ）約５９％〜約６７％の式ＩＩのジエステル、および（ｉｉｉ）約９％〜約１７％の式ＩＩＩのジエステルをより典型的には含む。該ブレンドは、９８℃の引火点、２０℃で約１０Ｐａ未満の蒸気圧、および約２００〜３００℃の蒸留温度範囲を一般に特徴とする。Ｒｈｏｄｉａｓｏｌｖ（登録商標）ＲＰＤＥ（Ｒｈｏｄｉａ  Ｉｎｃ．、Ｃｒａｎｂｕｒｙ、ＮＪ）、Ｒｈｏｄｉａｓｏｌｖ（登録商標）ＤＩＢ（Ｒｈｏｄｉａ  Ｉｎｃ．、Ｃｒａｎｂｕｒｙ、ＮＪ）およびＲｈｏｄｉａｓｏｌｖ（登録商標）ＤＥＥ（Ｒｈｏｄｉａ  Ｉｎｃ．、Ｃｒａｎｂｕｒｙ、ＮＪ）を挙げることもできる。
【００５５】
ある特定の他の実施形態において、二塩基性エステルブレンドは：
式ＩＶのジエステル：
【化７】
2013533335.tif 000008
；
式Ｖのジエステル：
【化８】
2013533335.tif 000009
；および場合により
式ＶＩのジエステル：
【化９】
2013533335.tif 000010
を含む。
【００５６】
Ｒ１および／またはＲ２は、個々に、約１〜約８個の炭素原子を有する炭化水素、典型的には、典型的には、メチル、エチル、プロピル、イソプロピル、ブチル、イソブチル、ｎ−ブチル、イソアミル、ヘキシル、またはオクチルを含むことができる。かかる実施形態において、該ブレンドは、（ブレンドの重量の）（ｉ）約５％〜約３０％の式ＩＶのジエステル、（ｉｉ）約７０％〜約９５％の式Ｖのジエステル、および（ｉｉｉ）約０％〜約１０％の式ＶＩのジエステルを典型的には含む。より典型的には、該ブレンドは、（ブレンドの重量の）：（ｉ）約６％〜約１２％の式ＩＶのジエステル、（ｉｉ）約８６％〜約９２％の式Ｖのジエステル、および（ｉｉｉ）約０．５％〜約４％の式ＶＩのジエステルを典型的には含む。
【００５７】
最も典型的には、該ブレンドは、（ブレンドの重量の）：（ｉ）約９％の式ＩＶのジエステル、（ｉｉ）約８９％の式Ｖのジエステル、および（ｉｉｉ）約１％の式ＶＩのジエステルを含む。該ブレンドは、９８℃の引火点、２０℃で約１０Ｐａ未満の蒸気圧、および約２００〜２７５℃の蒸留温度範囲を一般に特徴とする。Ｒｈｏｄｉａ  Ｉｎｃ製（Ｒｈｏｄｉａ  Ｉｎｃ．（Ｃｒａｎｂｕｒｙ、ＮＪ）製）のＲｈｏｄｉａｓｏｌｖ（登録商標）ＩＲＩＳおよびＲｈｏｄｉａｓｏｌｖ（登録商標）ＤＥＥ／Ｍを挙げることもできる。
【００５８】
１つの実施形態において、水として、限定されないが、水道水、濾過水、ミネラルウォーター、天然水、蒸留水、脱イオン水、および／または工業用軟水を挙げることができる。
【００５９】
別の実施形態において、溶媒として、限定されないが、脂肪族または環式炭化水素溶媒、ハロゲン化溶媒、芳香族炭化水素溶媒、グリコールエーテル、環式テルペン、不飽和炭化水素溶媒、ハロカーボン溶媒、ポリオール、エーテル、グリコールエーテルのエステル、短鎖アルコールを含めたアルコール、ケトンまたはこれらの混合物を含めた有機溶媒を挙げることができる。
【００６０】
１つの実施形態において、さらなる界面活性剤が本発明において利用されてよい。本発明のマイクロエマルジョンを調製するのに有用である界面活性剤は、１種以上のアニオン性界面活性剤、カチオン性界面活性剤、非イオン性界面活性剤、双性イオン界面活性剤、両性界面活性剤であってよい。
【００６１】
典型的には非イオン性界面活性剤が利用され、限定されないが、例えば、アルコキシ化アルコール、アルコキシ化脂肪アルコール、アルコキシ化トリグリセリド、アルコキシ化脂肪酸、アルコキシ化ソルビタンエステル、アルコキシ化脂肪アミン、アルコキシ化ビス（１−フェニルエチル）フェノール、アルコキシ化トリス（１−フェニルエチル）フェノールおよびアルコキシ化アルキルフェノールから選ばれるポリアルコキシ化界面活性剤が挙げられ、ここで、アルコキシ、より詳細にはオキシエチレンおよび／またはオキシプロピレン単位の数は、ＨＬＢ値が１０以上であるようになっている。より典型的には、非イオン性界面活性剤は、エチレンオキシド／プロピレンオキシドコポリマー、テルペンアルコキシレート、アルコールエトキシレート、アルキルフェノールエトキシレートおよびこれらの組み合わせからなる群から選択されてよい。
【００６２】
１つの実施形態において、本発明に関係して用いられるアルコールエトキシレートは、式：
【化１０】
2013533335.tif 000011
を有する。
【００６３】
典型的には、Ｒ７は、水素、または約５〜約２５個の炭素原子、より典型的には約７〜約１４個の炭素原子、最も典型的には約８〜約１３個の炭素原子を含有する炭化水素鎖であり、分枝鎖状または直鎖状、飽和または不飽和であってよく、水素、アルキル、アルコキシ、アリール、アルカリール、アルキルアリールアルキルおよびアリールアルキルからなる群から選択される。典型的には、「ｎ」は、約１〜約３０の整数、より典型的には２〜約２０の整数、最も典型的には約３〜約１２の整数である。
【００６４】
代替の実施形態において、アルコールエトキシレートは、Ｒｈｏｄａｓｕｒｆ９１−６（Ｒｈｏｄｉａ  Ｉｎｃ．（Ｃｒａｎｂｕｒｙ、ＮＪ）製）の商品名で販売されている。
【００６５】
さらに別の実施形態において、本発明において用いられる界面活性剤は、限定されないが：２〜５０個のオキシアルキレン（オキシエチレンおよび／またはオキシプロピレン）単位を含むポリオキシアルキレン化Ｃ６〜Ｃ２４脂肪族アルコール、特に１２（平均）個の炭素原子または１８（平均）個の炭素原子を有するもの：（Ｒｈｏｄｉａ  Ｉｎｃ．、Ｃｒａｎｂｕｒｙ、ＮＪ）からのＡｎｔａｒｏｘ  Ｂ１２ＤＦ、Ａｎｔａｒｏｘ  ＦＭ３３、Ａｎｔａｒｏｘ  ＦＭ６３およびＡｎｔａｒｏｘ  Ｖ７４、Ｒｈｏｄａｓｕｒｆ  ＩＤ０６０、Ｒｈｏｄａｓｕｒｆ  ＩＤ０７０およびＲｈｏｄａｓｕｒｆ  ＬＡ４２を挙げることができる；ならびに１〜２５個のオキシアルキレン（オキシエチレンまたはオキシプロピレン）単位を含有するポリオキシアルキレン化Ｃ８〜Ｃ２２脂肪族アルコールを含めた非イオン性界面活性剤である。
【００６６】
さらなる実施形態において、界面活性剤は、テルペンまたはテルペンアルコキシレートを含む。テルペンアルコキシレートは、再生可能な原料、例えば、α−ピネンおよびβ−ピネンから誘導されるテルペン系界面活性剤であり、ブロック分布中にある、またはランダム分布中もしくは親水性鎖に沿ってテーパー状となる分布中に混ざった、Ｃ−９二環式アルキル疎水性単位およびポリオキシアルキレン単位を有する。テルペンアルコキシレート界面活性剤は、Ａｄａｍ  ａｌ．の米国特許出願公開第２００６／０１３５６８３号（２００６年６月２２日）に記載されており、参照により本明細書に組み込まれる。
【００６７】
典型的なテルペンアルコキシレートは、Ｎｏｐｏｌアルコキシレート界面活性剤であり、一般式：
【化１１】
2013533335.tif 000012
【化１２】
2013533335.tif 000013
式中、Ｒ６およびＲ７は、個々に、水素、ＣＨ３、またはＣ２Ｈ５であり；「ｎ」は約１〜約３０であり；「ｍ」は約０〜約２０であり；「ｐ」は約０〜２０である；を有する。「ｎ」、「ｍ」および／または「ｐ」単位は、ブロック分布中にあっても、ランダムまたは上記鎖に沿ってテーパー状となる分布中に混ざっていてもよい。
【００６８】
別の実施形態において、Ｒ６はＣＨ３であり；「ｎ」は約２０〜約２５であり；「ｍ」は約５〜約１０である。さらに別の実施形態において、Ｒ６およびＲ７は、個々に、ＣＨ３であり；「ｎ」は約１〜約８であり；「ｍ」は約２〜約１４であり；「ｐ」は約１０〜約２０である。Ｒｈｏｄｏｃｌｅａｎ（登録商標）ＨＰ（テルペンＥＯ／ＰＯ）（Ｒｈｏｄｉａ  Ｉｎｃ．（Ｃｒａｎｂｕｒｙ、ＮＪ）製）およびＲｈｏｄｏｃｌｅａｎ（登録商標）ＭＳＣ（テルペンＥＯ／ＰＯ）（Ｒｈｏｄｉａ  Ｉｎｃ．（Ｃｒａｎｂｕｒｙ、ＮＪ）製）を挙げることができる。
【００６９】
１つの実施形態において、本発明は、安定なマイクロエマルジョンであって：
（ａ）マイクロエマルジョンの約１重量％〜約６０重量％の、二塩基性エステルのブレンドにおいて：
（ｉ）以下の式の第１二塩基性エステル：
【化１３】
2013533335.tif 000014
（ｉｉ）以下の式の第２二塩基性エステル：
【化１４】
2013533335.tif 000015
、および
（ｉｉｉ）以下の式の第３二塩基性エステル：
【化１５】
2013533335.tif 000016
を含み、
式中、Ｒ１およびＲ２は、それぞれ、独立して、約１〜約９個の炭化水素を有する炭化水素基である；を含む上記ブレンドと；（ｂ）清浄組成物の約０重量％〜約６５重量％のテルペンアルコキシレートと；（ｃ）清浄組成物の約０．１重量％〜約２０重量％のアルコールアルコキシレートと；（ｄ）水とを含むマイクロエマルジョンである。Ｒｈｏｄｉａｓｏｌｖ（登録商標）Ｉｎｆｉｎｉｔｙ（Ｒｈｏｄｉａ  Ｉｎｃ．、Ｃｒａｎｂｕｒｙ、ＮＪ）を挙げることもできる。
【００７０】
この特定の実施形態および本発明の他の実施形態において、マイクロエマルジョンまたは「活性体」は、なお依然として安定なマイクロエマルジョンのままであるように高い程度まで水に希釈されてよい。いくつかの実施形態において、活性体は、全混合物（すなわち、水−活性体混合物）の重量の約５０％までが活性体であるよう水中で希釈される。別の実施形態において、活性体は、全混合物の重量の約４０％までが活性体であるよう水中で希釈される。別の実施形態において、活性体は、全混合物の重量の約３５％までが活性体であるよう水中で希釈される。別の実施形態において、活性体は、全混合物の重量の約３０％までが活性体であるよう水中で希釈される。別の実施形態において、活性体は、全混合物の重量の約２０％までが活性体であるよう水中で希釈される。別の実施形態において、活性体は、全混合物の重量の約１５％までが活性体であるよう水中で希釈される。別の実施形態において、活性体は、全混合物の重量の約１０％以下までが活性体であるよう水中で希釈される。別の実施形態において、活性体は、全混合物の重量の約８％までが活性体であるよう水中で希釈される。別の実施形態において、活性体は、全混合物の重量の約６％までが活性体であるよう水中で希釈される。別の実施形態において、活性体は、全混合物の重量の約５％までが活性体であるよう水中で希釈される。別の実施形態において、活性体は、全混合物の重量の約４％以下までが活性体であるよう水中で希釈される。別の実施形態において、活性体は、全混合物の重量の約３％以下までが活性体であるよう水中で希釈される。別の実施形態において、活性体は、全混合物の重量の約２％以下までが活性体であるよう水中で希釈される。別の実施形態において、活性体は、全混合物の重量の約１％以下までが活性体であるよう水中で希釈される。別の実施形態において、活性体は、全混合物の重量の約０．５％または０．１％以下までが活性体であるよう水中で希釈される。
【００７１】
さらなるまたは代替の実施形態において、付加成分または添加剤が本発明の清浄組成物に添加されていてよい。付加成分として、限定されないが、離層剤、緩衝剤および／またはｐＨ制御剤、芳香剤、香料、消泡剤、染料、漂白剤、増白剤、可溶化材料、安定剤、増粘剤、腐食防止剤、ローションおよび／または鉱物油、酵素、曇点調節剤、防腐剤、イオン交換体、キレート剤、泡立ち制御剤、土壌除去剤、柔軟剤、乳白剤、不活性希釈剤、灰色化抑制剤、安定剤、ポリマーなどが挙げられる。
【００７２】
典型的には、付加成分は、１種以上の離層剤を含む。離層剤は、限定されないが、ピネンおよびピネン誘導体、ｄ−リモネン、ジペンテンおよびｏｃ−ピネンを挙げることができる、ある一定のテルペン系誘導体であってよい。
【００７３】
緩衝剤およびｐＨ制御剤として、例えば、有機酸、鉱物酸、ならびにシリケート、メタシリケート、ポリシリケート、ボレート、カーボネート、カルバメート、ホスフェート、ポリホスフェート、ピロホスフェート、トリホスフェート、アンモニア、水酸化物、モノエタノールアミン、モノプロパノールアミン、ジエタノールアミン、ジプロパノールアミン、トリエタノールアミン、および／または２−アミノ−２メチルプロパノールのアルカリ金属およびアルカリ土類金属塩が挙げられる。
【００７４】
より詳細には、緩衝剤は、所望のｐＨを維持するために用いられる洗剤または低分子量の有機もしくは無機材料であってよい。緩衝剤は、限定されないが、２−アミノ−２−メチル−プロパノール；２−アミノ−２−メチル−１，３−プロパノール；グルタミン酸二ナトリウム；メチルジエタノールアミド；Ｎ，Ｎ−ビス（２−ヒドロキシエチル）グリシン；トリス（ヒドロキシメチル）メチルグリシン；カルバミン酸アンモニウム；クエン酸；酢酸；アンモニア；アルカリ金属カーボネート；および／またはアルカリ金属ホスフェートを含めたアルカリ性、酸性または中性のものであってよい。
【００７５】
さらに別の実施形態において、増粘剤は、用いられるとき、限定されないが、カッシアガム、タラガム、キサンタンガム、ローカストビーンガム（ｌｏｃｕｓｔ  ｂｅａｍ  ｇｕｍ）、カラギーナンガム、カラヤゴム、アラビアゴム、ヒアルロン酸、サクシノグリカン、ペクチン、結晶性多糖、クレイ、シリカおよびヒュームドシリカ、分枝多糖、炭酸カルシウム、酸化アルミニウム、アルギネート、グアーガム、ヒドロキシプロピルグアーガム、カルボキシメチルグアーガム、カルボキシメチルヒドロキシプロピルグアーガム、および他の変性グアーガム、ヒドロキシセルロース、ヒドロキシアルキルセルロース、例えばヒドロキシエチルセルロース、カルボキシメチルヒドロキシエチルセルロース、ヒドロキシプロピルセルロース、カルボキシメチルセルロースおよび／または他の変性セルロースが挙げられる。さらなる実施形態において、漂白剤として、限定されないが、過炭酸塩、過酸、過ホウ酸塩、塩素発生物質、過酸化水素、および／または過酸化水素系化合物が挙げられる。別の実施形態において、ポリマーは、一般に２，０００，０００未満の重量平均分子量を有する水溶性または分散性ポリマーである。
【００７６】
二塩基性エステルは、ある一定の条件下に加水分解に付されるため、二塩基性エステルのブレンドは、微量のアルコール、典型的には低分子量アルコール、例えば、約２％〜約０．２％の濃度のエタノールを含有する可能性があることが理解される。
【００７７】
本発明の一般に企図される組成物は、１つの実施形態において、（組成物の全重量を基準にして）（ａ）約１重量％〜約６０重量％の二塩基性エステルのブレンドと、（ｂ）約１重量％〜約６５重量％の１種以上の界面活性剤とを含む。組成物は、所望の濃度に応じて、種々の量で水または溶媒を場合により含有していてよい。例えば、運送、輸送目的のため、ならびに他のコスト削減のために、本発明の組成物を濃縮された組成物として有することが望ましい場合がある。本発明を完全に希釈された形態で有することが望ましい場合もある。
【００７８】
濃縮または希釈された形態のいずれにおいても、本発明の組成物は、希釈された形態では典型的には最大で６ヶ月以上、より典型的には最大で１２ヶ月以上、濃縮された形態ではそれより長く加水分解的に安定である。本発明の製剤は、二塩基性エステルブレンド、典型的には、ＭＧＮブレンドを含有しており、加水分解安定性を有し、ここで、加水分解／分解は、エステルの酸形態およびメタノールを典型的には生成する。記載されている二塩基性エステルブレンドを含む製剤のメタノール濃度がモニタリングされて、典型的には３００ｐｐｍ（１００万分の１）未満、より典型的には約２５０ｐｐｍ以下、典型的には約２１０ｐｐｍ以下で一般に安定であることが示された。（従来のエステル系清浄溶液は、水溶液中にあるとき、エステルが典型的には分解し始める。分解するエステルは、望ましくない潜在的に有害な副生成物を生成する。さらに、エステルが分解するに従い、清浄溶液中の活性成分であるエステルの量が低下する。）
【００７９】
１つの実施形態において、清浄組成物は、約０重量％〜約１５重量％のｄ−リモネンをさらに含む。別の実施形態において、清浄組成物は、約０．５重量％〜約１２重量％のｄ−リモネンをさらに含む。別の実施形態において、清浄組成物は、約１重量％〜約１０重量％のｄ−リモネンをさらに含む。本発明の清浄組成物は、種々の消費者および／または工業用途において用いられ得る。
【００８０】
別の態様において、本発明は、清浄組成物であって：約１重量％〜約６０重量％の二塩基性エステルのブレンドと；約０．１重量％〜約５０重量％の１種以上の界面活性剤と；場合により水とを含み；より典型的には、約５重量％〜約４０重量％の二塩基性エステルのブレンドと；（ｂ）約５重量％〜約４０重量％の１種以上の界面活性剤、典型的には、１種以上の非イオン性界面活性剤と；場合により（ｃ）水とを含む清浄組成物である。別の実施形態において、清浄組成物は、約１重量％〜約１２重量％のピネンまたはその誘導体、典型的には、ｄ−リモネンをさらに含む。場合により、添加剤、例えば、芳香剤および可溶化剤、ｐＨ調整剤、漂白剤、離層剤、乳白剤、防食剤、消泡剤、着色剤、安定剤および増粘剤が添加されていてよい。本発明の清浄組成物は、典型的にはマイクロエマルジョンの形態であり、用途に応じて液体または噴霧製剤として提供されて用いられる。本発明の清浄組成物は、典型的にはマイクロエマルジョンの形態である。清浄組成物は、用途に応じて液体または噴霧製剤としても提供され得る。
【００８１】
本発明は、１つの実施形態において、油、油系汚染物、およびさらには例えば他の汚染物、例えば、疎水性汚染物、例えば、鉛筆、クレヨン、蛍光ペン、ケチャップ、油性マジック、マスタード、インク、水性マーカー、口紅、および疎水性汚染物、一般には、インク（典型的には、印刷インク）、布地上の有機汚染物、樹脂、タール樹脂、落書き、塗装された表面またはプラスチックもしくは金属下層上の汚染物を、皮膚もしくは毛髪から除去する、塗装を表面から除去する、または脱脂組成物として除去するための方法である。
【００８２】
１つの例示的な実施形態において、本発明は、本発明の清浄組成物を油分散剤として用いることを含む。本発明は、油分散剤として用いられるとき、流出、膜または漏出からの油を、典型的には水面でまたは水面付近で破壊することができ、油の分解を向上させることが可能であり、加えて、水中への光浸透性を改善することができる。本発明は、油によって少なくとも部分的に被覆されている対象または下層の表面洗浄に用いることもできる。清浄することができる対象は、砂地、岩、および油流出、油膜または油漏出と接触する場合がある海岸線に位置する一般的な対象である。本発明は、他の対象、例えば、野生生物、鳥類、植物、哺乳類を清浄することもできる。本発明は、表面収集において用いることもできる。
【００８３】
別の実施形態において、本発明は、油、グリースなどを設備から清浄するのに利用することができる。本発明は、建物または他の工作物表面を清浄するのに用いることもできる。本発明は、破砕流体、良好な切断、および泥の逆流において利用される設備を洗浄するのに用いることもできる。一般に、本発明は、油の良好なサービス提供または掘削に利用されるデバイスおよび組成物を清浄するのに利用することもできる。他の設備として、限定されないが：（例えばタール用の）採掘トラック、アスファルトトラック、船舶、ボート、運搬タンク、貯蔵タンク、混合タンク、反応器、建物、羽目板、床、コンクリート、煉瓦、木材が挙げられる。
【００８４】
組成物は、所望の濃度に応じて、組成物の典型的には約１重量％〜約８５重量％の水と、種々の量の溶媒とを場合により含有していてよい。織物を清浄するための方法も企図されており、織物用清浄組成物を得るまたは調製することと、該清浄組成物を表面または材料上に接触させて清浄することと、場合により、表面または材料から、用いた清浄組成物を除去することとを含む。
実験
【００８５】
粗軽質油
分散剤の助けによる海水中への油の分散性を試験するために、粗軽質油を分散剤の助けにより海水中に分散させた。試験分散剤は、１００％および１％の活性体のＲｈｏｄｉａｓｏｌｖ  Ｉｎｆｉｎｉｔｙ、ならびに２０％のＲｈｏｄｉａｓｏｌｖ  ＤＩＢを含む８０％Ｉｎｆｉｎｉｔｙである。これを、基準の、１００％の活性体のジオクチルスルホサクシネートと比較した。
【００８６】
５０ｍＬの海水を、分散剤Ｒｈｏｄｉａｓｏｌｖ  Ｉｎｆｉｎｉｔｙと混合した５ｍＬの粗油（分散剤対油比＝１：１０ｖ／ｖ）と混合した。混合物を５分間かき混ぜて、さらに５分間放置した。１％の活性体のＲｈｏｄｉａｓｏｌｖ  Ｉｎｆｉｎｉｔｙにおいては、水の表面における油分離およびバルク水の色の強度の観点から基準ＤＯＳと等しいレベルで油が分散したことが観察された。１００％のＲｈｏｄｉａｓｏｌｖ  Ｉｎｆｉｎｉｔｙおよび８０／２０％のＲｈｏｄｉａｓｏｌｖ  Ｉｎｆｉｎｉｔｙ／Ｒｈｏｄｉａｓｏｌｖ  ＤＩＢでは、バルク水において色（すなわち、色の強度）がより暗いように、油がはるかに良好に分散し、表面において観察された油分離はより少なかった。
中密度の粗油
【００８７】
分散剤の助けによる海水中への油の分散性を試験するために、中密度の粗油を分散剤の助けにより海水中に分散させた。試験分散剤は、５％の活性体のＲｈｏｄｉａｓｏｌｖ  Ｉｎｆｉｎｉｔｙ、および２０％のＲｈｏｄｉａｓｏｌｖ  ＤＩＢを含む８０％Ｉｎｆｉｎｉｔｙである。これを、基準の、５０％の活性体のジオクチルスルホサクシネートと比較した。５０ｍＬの海水を、分散剤Ｒｈｏｄｉａｓｏｌｖ  Ｉｎｆｉｎｉｔｙと混合した５ｍＬの粗油（分散剤対油比＝１：１０ｖ／ｖ）と混合した。混合物を５分間かき混ぜて、さらに５分間放置した。本発明者らは、５％の活性体のＲｈｏｄｉａｓｏｌｖ  Ｉｎｆｉｎｉｔｙにおいては、水の表面における油分離およびバルク水の色の強度の観点から、５０％で、基準ＤＯＳと等しいレベルで油が分散したことを観察した。
表面洗浄剤としての砂地への適用
【００８８】
ジオクチルスルホサクシネートＤＯＳについて−表面洗浄能力を試験するために、砂地に適用した粗軽質油を試験表面洗浄剤（「ＳＷＡ」）Ｒｈｏｄｉａｓｏｌｖ  ｉｎｆｉｎｉｔｙで洗浄した。試験ＳＷＡは、１００％の活性体のＲｈｏｄｉａｓｏｌｖ  Ｉｎｆｉｎｉｔｙである。これを、基準の、１００％の活性体のジオクチルスルホサクシネートＤＯＳと比較した。２ｍＬの粗油サンプルを、海水で予め湿潤させた４０ｇの砂地に適用した。次いで、５分後、４ｍＬのＲｈｏｄｉａｓｏｌｖ  Ｉｎｆｉｎｉｔｙを砂地上に適用し（ＳＷＡ対油比＝２：１ｖ／ｖ）、次いで砂地を海水でリンスした。Ｒｈｏｄｉａｓｏｌｖ  Ｉｎｆｉｎｉｔｙは砂地から油を有意に洗い流したことが観察された。さほど多くない油が砂地に残り、リンス水は、砂地から油を洗浄したことの表れとして、黄色に変化した（すなわち、油がリンス水中に混合された）。対照的に、基準ＤＯＳは、砂地から油の大部分を洗浄せず、洗浄水は、砂地から洗浄された油の量の表れとして、無色のままであった。Ｒｈｏｄｉａｓｏｌｖ  Ｉｎｆｉｎｉｔｙが表面洗浄剤としてＤＯＳより優れていることが結論づけられた。
【００８９】
Ｓｉｍｐｌｅ  Ｇｒｅｅｎ（登録商標）／粗軽質油について−表面洗浄能力を試験するために、砂地に適用した粗軽質油を試験表面洗浄剤（ＳＷＡ）Ｒｈｏｄｉａｓｏｌｖ  ｉｎｆｉｎｉｔｙで洗浄した。試験ＳＷＡは、１００％の活性体のＲｈｏｄｉａｓｏｌｖ  Ｉｎｆｉｎｉｔｙである。これを、基準の、１％の活性体のＳｉｍｐｌｅ  Ｇｒｅｅｎ（登録商標）と比較した。１ｍＬの粗軽質油を、海水で予め湿潤させた２０ｇの砂地に適用した。次いで、適用（曝す）の２４時間後に、４ｍＬのＲｈｏｄｉａｓｏｌｖ  Ｉｎｆｉｎｉｔｙを砂地上に適用し（ＳＷＡ対油比＝２：１ｖ／ｖ）、次いで砂地を海水でリンスした。Ｒｈｏｄｉａｓｏｌｖ  Ｉｎｆｉｎｉｔｙが砂地から油をきれいに洗い流したことが観察された。さほど多くない油が砂地に残り、リンス水は、砂地から油を洗浄したことの表れとして、僅かに黄色に変化した。同様に、基準のＳｉｍｐｌｅ  Ｇｒｅｅｎが約等量で油を洗い流したことが観察された。
【００９０】
Ｓｉｍｐｌｅ  Ｇｒｅｅｎ（登録商標）／中密度の粗油について−表面洗浄能力を試験するために、砂地に適用された中密度の粗油を試験表面洗浄剤（ＳＷＡ）Ｒｈｏｄｉａｓｏｌｖ  ｉｎｆｉｎｉｔｙで洗浄した。試験ＳＷＡは、１００％の活性体のＲｈｏｄｉａｓｏｌｖ  Ｉｎｆｉｎｉｔｙである。これを、基準の、１％の活性体のＳｉｍｐｌｅ  Ｇｒｅｅｎ（登録商標）と比較した。１ｍＬの中密度の粗油を、海水で予め湿潤させた２０ｇの砂地に適用した。次いで、適用（曝す）の２４時間後に、４ｍＬのＲｈｏｄｉａｓｏｌｖ  Ｉｎｆｉｎｉｔｙを砂地上に適用し（ＳＷＡ対油比＝２：１ｖ／ｖ）、次いで砂地を海水でリンスした。Ｒｈｏｄｉａｓｏｌｖ  Ｉｎｆｉｎｉｔｙが砂地から中密度の粗油をきれいに洗い流したことが観察された。さほど多くない油が砂地に残り、リンス水は、砂地から油を洗浄したことの表れとして、僅かに黄色に変化した。同様に、基準のＳｉｍｐｌｅ  Ｇｒｅｅｎが約等量で油を洗い流したことが観察された。
表面洗浄剤としての小石への適用
【００９１】
Ｓｉｍｐｌｅ  Ｇｒｅｅｎ（登録商標）／中密度の粗油について−表面洗浄能力を試験するために、小石に適用された中密度の粗油を試験表面洗浄剤（ＳＷＡ）Ｒｈｏｄｉａｓｏｌｖ  ｉｎｆｉｎｉｔｙで洗浄した。試験ＳＷＡは、１００％の活性体のＲｈｏｄｉａｓｏｌｖ  Ｉｎｆｉｎｉｔｙである。これを、基準の、１％の活性体のＳｉｍｐｌｅ  Ｇｒｅｅｎ（登録商標）と比較した。１ｍＬの中密度の粗油を、海水で予め湿潤させた小石に適用した。次いで、適用（曝す）の２４時間後に、４ｍＬのＲｈｏｄｉａｓｏｌｖ  Ｉｎｆｉｎｉｔｙを小石上に適用し（ＳＷＡ対油比＝２：１ｖ／ｖ）、次いで小石を海水でリンスした。Ｒｈｏｄｉａｓｏｌｖ  Ｉｎｆｉｎｉｔｙが小石から中密度の粗油をきれいに洗い流したことが観察された。さほど多くない油が小石に残り、リンス水は、小石から油を洗浄したことの表れとして、僅かに黄色に変化した。同様に、基準のＳｉｍｐｌｅ  Ｇｒｅｅｎが約等量で油を洗い流したことが観察された。
表面洗浄剤としての衣類への適用
【００９２】
ジオクチルスルホサクシネートＤＯＳについて−表面洗浄能力を試験するために、衣類に適用した粗軽質油を試験表面洗浄剤（「ＳＷＡ」）Ｒｈｏｄｉａｓｏｌｖ  ｉｎｆｉｎｉｔｙで洗浄した。試験ＳＷＡは、１００％の活性体のＲｈｏｄｉａｓｏｌｖ  Ｉｎｆｉｎｉｔｙである。これを、基準の、１００％の活性体のジオクチルスルホサクシネートＤＯＳと比較した。２ｍＬの粗油サンプルを、海水で予め湿潤させた２つの試験衣類に適用した。次いで、５分後、４ｍＬのＲｈｏｄｉａｓｏｌｖ  Ｉｎｆｉｎｉｔｙを第１試験衣類上に適用し（ＳＷＡ対油比＝２：１ｖ／ｖ）、次いで該衣類を海水でリンスした。Ｒｈｏｄｉａｓｏｌｖ  Ｉｎｆｉｎｉｔｙが衣類から油を有意に洗い流したことが観察された。さほど多くない油が衣類に残り、リンス水は、衣類から油を洗浄したことの表れとして、黄色に変化した。対照的に、基準ＤＯＳは、第２試験衣類から油の大部分を洗浄せず、洗浄水は、該衣類から洗浄された油の量の表れとして、無色のままであった。Ｒｈｏｄｉａｓｏｌｖ  Ｉｎｆｉｎｉｔｙが衣類における表面洗浄剤としてＤＯＳより優れていることが結論づけられた。
オイルベースマッド（ＯＢＭ）へのＲｈｏｄｉａｓｏｌｖ  Ｉｎｆｉｎｉｔｙ効果
【００９３】
泥の逆流および重質油分散は、低表面張力（ＳＴ）マイクロエマルジョン、例えば、Ｒｈｏｄｉａｓｏｌｖ  Ｉｎｆｉｎｉｔｙが、これらの系に効果を及ぼす例である。泥は、１％のＲｈｏｄｉａｓｏｌｖ  Ｉｎｆｉｎｉｔｙによって分散および逆流した。重質油は、１００％のＲｈｏｄｉａｓｏｌｖ  Ｉｎｆｉｎｉｔｙによって分散された。
【００９４】
解乳化剤試験も行った。Ｒｈｏｄｉａｓｏｌｖ  Ｉｎｆｉｎｉｔｙが粗油の油中水エマルジョンを破壊することが可能であったことが観察された。Ｒｈｏｄｉａｓｏｌｖ  Ｉｎｆｉｎｉｔｙは、浄化の取り組みの一部として油除去用途に適用することができる。
【００９５】
島の汚染またはメンテナンス清浄に可能性のある清浄剤について、表面は、選ばれたトラック、反応容器、運搬設備、建物または他のインフラ設備であってよい。
【００９６】
したがって、本発明は、目的を実施し、言及した目標および利点ならびに本明細書における固有のその他のものを達成するようよく適合されている。本発明は、その特定の好ましい実施形態を参照して表現および記載されており、また、定義されているが、かかる実施形態は、本発明における限定を意味しておらず、いずれのかかる限定も推測されるべきではない。本発明の表現および記載された好ましい実施形態は、単に例示的であって、本発明の範囲を網羅するものではない。したがって、本発明は、全ての点において等価物への十分な認識を与えつつ、添付の請求項の精神および範囲によってのみ限定されることが意図されている。
【手続補正書】
【提出日】平成25年1月30日(2013.1.30)
【手続補正１】
【補正対象書類名】特許請求の範囲
【補正対象項目名】全文
【補正方法】変更
【補正の内容】
【特許請求の範囲】
【請求項１】
水面または水面付近で油を分散させるためのマイクロエマルジョン組成物であって：
（ａ）マイクロエマルジョンの約１重量％〜約６０重量％の、二塩基性エステルのブレンドにおいて：
（ｉ）以下の式の第１二塩基性エステル：
【化１】
2013533335.tif 000026
、
（ｉｉ）以下の式の第２二塩基性エステル：
【化２】
2013533335.tif 000027
、
および、場合により
（ｉｉｉ）以下の式の第３二塩基性エステル：
【化３】
2013533335.tif 000028
（ＩＩＩ）
式中、Ｒ１およびＲ２は、それぞれ、独立して、Ｃ１〜Ｃ９炭化水素基である；を含むブレンドと、
１.（ｂ）組成物の約１重量％〜約６５重量％のテルペンアルコキシレートと；
（ｄ）水と
を含む、マイクロエマルジョン組成物。
【請求項２】
アルコールアルコキシレートをさらに含む、請求項１に記載のマイクロエマルジョン組成物。
【請求項３】
前記マイクロエマルジョン組成物が、表面から粗油を除去することが可能である、請求項１に記載のマイクロエマルジョン組成物。
【請求項４】
アニオン性界面活性剤、カチオン性界面活性剤、両性界面活性剤、双性イオン界面活性剤、非イオン性界面活性剤およびこれらの任意の組み合わせからなる群から選択される少なくとも１種の界面活性剤をさらに含む、請求項１に記載のマイクロエマルジョン組成物。
【請求項５】
前記マイクロエマルジョンが、混合物の全重量の最大で約９９％の水による希釈に際して安定なままである、請求項１に記載のマイクロエマルジョン。
【請求項６】
前記二塩基性エステルのブレンドが、アジピン酸ジアルキル、メチルグルタル酸ジアルキルおよびエチルコハク酸ジアルキルをさらに含む、請求項１に記載のマイクロエマルジョン組成物。
【請求項７】
前記二塩基性エステルのブレンドが、ポリアミドの生成における１種以上の副生成物から誘導される、請求項１に記載のマイクロエマルジョン組成物。
【請求項８】
飽和炭化水素、グリコールエーテル、脂肪酸メチルエステル、脂肪族炭化水素、環式炭化水素、ハロゲン化、芳香族炭化水素、環式テルペン、不飽和炭化水素、ハロカーボン、ポリオール、エーテル、グリコールエーテルのエステル、アルコール、水、ケトン、およびこれらのあらゆる組み合わせからなる群から選択される共溶媒をさらに含む、請求項１に記載のマイクロエマルジョン組成物。
【請求項９】
離層剤、緩衝剤、芳香剤、香料、消泡剤、染料、漂白剤、増白剤、可溶化材料、安定剤、増粘剤、腐食防止剤、ローション、鉱物油、酵素、曇点調節剤、粒子、防腐剤、イオン交換体、キレート剤、泡立ち制御剤、土壌除去剤、柔軟剤、乳白剤、不活性希釈剤、灰色化抑制剤、安定剤、ポリマーおよびこれらの任意の組み合わせからなる群から選択される１種以上の添加剤をさらに含む、請求項１に記載のマイクロエマルジョン組成物。
【請求項１０】
前記二塩基性エステルのブレンドが、約１０Ｐａ未満の蒸気圧を特徴とする、請求項１に記載のマイクロエマルジョン組成物。
【請求項１１】
前記共溶媒が前記脂肪族炭化水素であり、前記脂肪族炭化水素が６０℃超の引火点を有する、請求項８に記載のマイクロエマルジョン組成物。
【請求項１２】
（ｉ）アルコールアルコキシレートが、組成物の約５重量％〜約５５重量％を含み；
（ｉｉ）前記テルペンアルコキシレートが、組成物の約０．１重量％〜約２５重量％を含む、
請求項４に記載のマイクロエマルジョン組成物。
【請求項１３】
前記テルペンアルコキシレートが、式：
【化４】
2013533335.tif 000029
または
【化５】
2013533335.tif 000030
式中、Ｒ６およびＲ７は、個々に、水素、ＣＨ３、またはＣ２Ｈ５であり；「ｎ」は、約１〜約３０の整数であり；「ｍ」は、０〜約２０の整数であり；「ｐ」は、０〜約２０の整数である；
である、請求項１に記載のマイクロエマルジョン組成物。
【請求項１４】
前記アルコールアルコキシレートが、式：
【化６】
2013533335.tif 000031
式中、Ｒ７は、水素、または約５〜約２５個の炭素原子を含有する炭化水素鎖であり、「ｎ」は、約１〜約３０の整数；
である、請求項２に記載のマイクロエマルジョン組成物。
【請求項１５】
「ｎ」が約３〜約１２の整数である、請求項１４に記載のマイクロエマルジョン組成物。
【請求項１６】
水面または水面付近で油を分散させるための方法であって：
−請求項１の前記マイクロエマルジョン組成物を付与することと；
−水面または水面付近で、マイクロエマルジョン組成物を、粗油を有する表面と接触させることと
を含む方法。
【請求項１７】
請求項１による前記マイクロエマルジョンを、生成する混合物の約１重量％〜約５０重量％に希釈する工程をさらに含む、請求項１６に記載の方法。
【請求項１８】
粗油と接触する表面を清浄する方法であって：
−請求項１の清浄組成物を付与することと；
−前記清浄組成物を、粗油を有する表面と接触させることと；
−用いた清浄組成物を清浄された表面から除去することと
を含む方法。
【請求項１９】
水面または水面付近で油を分散させるためのマイクロエマルジョン組成物であって：
（ａ）前記マイクロエマルジョンの約１重量％〜約６０重量％の二塩基性エステルのブレンドであって：
（ａ．ｉ）式Ｉ
【化７】
2013533335.tif 000032
式中、Ｒ１およびＲ２は、それぞれ独立して、ブチル、イソブチル、またはｎ−ブチル炭化水素基である；
の二塩基性エステルと；
（ａ．ｉｉ）式ＩＩ
【化８】
2013533335.tif 000033
式中、Ｒ１およびＲ２は、それぞれ独立して、ブチル、イソブチル、またはｎ−ブチル炭化水素基である；
の二塩基性エステルと；
（ａ．ｉｉｉ）式ＩＩＩ
【化９】
2013533335.tif 000034
式中、Ｒ１およびＲ２は、それぞれ独立して、ブチル、イソブチル、またはｎ−ブチル炭化水素基である；
の二塩基性エステルと；
（ａ．ｉｖ）式ＩＶ
【化１０】
2013533335.tif 000035
式中、Ｒ１およびＲ２は、それぞれ独立して、Ｃ１−Ｃ９の炭化水素基である；
の二塩基性エステルと；
（ａ．ｖ）式Ｖ
【化１１】
2013533335.tif 000036
式中、Ｒ１およびＲ２は、それぞれ独立して、Ｃ１−Ｃ９の炭化水素基である；
の二塩基性エステルと；任意で
（ａ．ｖｉ）式ＶＩ
【化１２】
2013533335.tif 000037
式中、Ｒ１およびＲ２は、それぞれ独立して、Ｃ１−Ｃ９の炭化水素基である；
の二塩基性エステルと
を含む、二塩基性エステルのブレンドと；
（ｂ）前記組成物の約１重量％〜約６５重量％のテルペンアルコキシレートと；
（ｃ）水と
を含む、マイクロエマルジョン組成物。
【請求項２０】
アルコールアルコキシレートをさらに含む、請求項１９に記載のマイクロエマルジョン組成物。
【請求項２１】
前記マイクロエマルジョン組成物が、表面から粗油を除去することが可能である、請求項１９に記載のマイクロエマルジョン組成物。
【請求項２２】
アニオン性界面活性剤、カチオン性界面活性剤、両性界面活性剤、双性イオン界面活性剤、非イオン性界面活性剤およびこれらの任意の組み合わせからなる群から選択される少なくとも１種の界面活性剤をさらに含む、請求項１９に記載のマイクロエマルジョン組成物。
【請求項２３】
（ｉ）前記アルコールアルコキシレートが、前記組成物の約５重量％〜約５５重量％を含み；
（ｉｉ）前記テルペンアルコキシレートが、前記組成物の約０．１重量％〜約２５重量％を含む、
請求項２０に記載のマイクロエマルジョン組成物。
【国際調査報告】
2013533335.tif 000038
2013533335.tif 000039
2013533335.tif 000040
2013533335.tif 000041